(57)【要約】【課題】通行人の興味や関心を新聞に引き付け、新聞の販売部数の増加を図る。【解決手段】本発明に係る新聞用自動販売機７は、販売する新聞の記事を概説する新聞記事情報を受信する受信手段２２と、該受信手段２２により受信した新聞記事情報を記憶する記憶手段２３と、該記憶手段２３に記憶した新聞記事情報を外部に表示する表示手段１７ａ，１７ｂ，１７ｃとを備えていることを特徴とし、記憶手段２３には、販売する新聞毎に前記新聞記事情報を記憶する各新聞専用の記憶領域２３ａ，２３ｂ，２３ｃがそれぞれ設けられており、表示手段１７ａ，１７ｂ，１７ｃは、前記各新聞専用の記憶領域２３ａ，２３ｂ，２３ｃに記憶された前記新聞記事情報をそれぞれ別々に表示する。【選択図】図２
2007328390.tif 000002
【特許請求の範囲】
【請求項１】
販売する新聞の記事を概説する新聞記事情報を受信する受信手段と、
該受信手段により受信した新聞記事情報を記憶する記憶手段と、
該記憶手段に記憶した新聞記事情報を外部に表示する表示手段と、
を備えていることを特徴とする新聞用自動販売機。
【請求項２】
前記記憶手段には、販売する新聞毎に前記新聞記事情報を記憶する各新聞専用の記憶領域がそれぞれ設けられており、前記表示手段は、前記各新聞専用の記憶領域に記憶された前記新聞記事情報をそれぞれ別々に表示する各新聞専用の表示手段を備えている請求項１に記載の新聞用自動販売機。
【請求項３】
前記記憶手段に最新の新聞記事情報を記憶する場合、それ以前の新聞記事情報を消去する請求項１又は２に記載の新聞用自動販売機。
【請求項４】
前記新聞記事情報を前記表示手段に表示する時間帯を制御する請求項１〜３のいずれか１の請求項に記載の新聞用自動販売機。
【請求項５】
前記新聞以外の商品を自動的に販売する商品自動販売手段をさらに備えている請求項１〜４のいずれか１の請求項に記載の新聞用自動販売機。
【請求項６】
前記記憶手段には、商品を宣伝するための広告情報を格納する記憶領域が設けられており、該記憶領域に格納された広告情報を前記新聞記事情報の合間に前記表示手段に表示する請求項１〜５のいずれか１の請求項に記載の新聞用自動販売機。
【請求項７】
前記受信手段が緊急性の高い情報を受信した場合、該情報を前記表示手段に優先的に表示する請求項１〜６のいずれか１の請求項に記載の新聞用自動販売機。
【請求項８】
販売する新聞の記事を概説する新聞記事情報を配信する新聞社の配信サーバと新聞宅配業者の管理サーバとが通信ネットワークを介して相互に接続され、前記管理サーバから前記新聞記事情報が送信される新聞用自動販売機とを備えた新聞自動販売システムであって、前記新聞用自動販売機が、請求項１〜７のいずれか１の請求項に記載の新聞用自動販売機であることを特徴とする新聞自動販売システム。
【発明の詳細な説明】
【技術分野】
【０００１】
本発明は、新聞の販売を自動的に行うための新聞用自動販売機及び該新聞用自動販売機を備えた新聞自動販売システムに関する。
【背景技術】
【０００２】
一般に、新聞は、新聞宅配業者によって各家庭に配達されたり、駅等の売店で店員によって販売されたりしている他、店頭等に自動販売機を設置して販売することも行われている。
【０００３】
従来のこの種の自動販売機としては、例えば、硬貨投入口から所定の金額の硬貨を投入すると、筐体の内部に収容されている新聞が、モータの駆動により、一部ずつ筐体の外部に送り出される機構を備えたものが知られている（例えば、特許文献１参照）。
【特許文献１】特開平７−３２５９７４号公報
【発明の開示】
【発明が解決しようとする課題】
【０００４】
しかしながら、上記した従来の新聞用自動販売機においては、新聞を収容する筐体の前面を透明なガラス板で覆うことにより、自動販売機の前を行く通行人に対して、自動販売機に収容している新聞の第１面に掲載されている情報を提供する程度のことしかできなかった。そのため、通行人に対して、新聞への興味や関心を十分に喚起させ、新聞を購入させるだけの動機付けを付与することができず、新聞の販売部数の増加につながらないといった問題があった。
【０００５】
本発明は、上記した課題を解決すべくなされたものであり、通行人の興味や関心を新聞に引き付けることができ、新聞の販売部数の増加を図ることのできる新聞用自動販売機及び新聞自動販売システムを提供することを目的とするものである。
【課題を解決するための手段】
【０００６】
上記した目的を達成するため、本発明に係る新聞用自動販売機は、販売する新聞の記事を概説する新聞記事情報を受信する受信手段と、該受信手段により受信した新聞記事情報を記憶する記憶手段と、該記憶手段に記憶した新聞記事情報を外部に表示する表示手段とを備えていることを特徴とする。
【０００７】
そして、前記記憶手段には、販売する新聞毎に前記新聞記事情報を記憶する各新聞専用の記憶領域がそれぞれ設けられており、前記表示手段は、前記各新聞専用の記憶領域に記憶された前記新聞記事情報をそれぞれ別々に表示する各新聞専用の表示手段を備えていてもよい。
【０００８】
また、前記記憶手段に最新の新聞記事情報を記憶する場合、それ以前の新聞記事情報を消去してもよい。
【０００９】
さらに、前記新聞記事情報を前記表示手段に表示する時間帯を制御してもよい。
【００１０】
さらにまた、前記新聞以外の商品を自動的に販売する商品自動販売手段をさらに備えていてもよい。
【００１１】
さらに、前記記憶手段には、商品を宣伝するための広告情報を格納する記憶領域が設けられており、該記憶領域に格納された広告情報を前記新聞記事情報の合間に前記表示手段に表示してもよい。
【００１２】
さらに、前記受信手段が緊急性の高い情報を受信した場合、該情報を前記表示手段に優先的に表示してもよい。
【００１３】
また、本発明は、販売する新聞の記事を概説する新聞記事情報を配信する新聞社の配信サーバと新聞宅配業者の管理サーバとが通信ネットワークを介して相互に接続され、前記管理サーバから前記新聞記事情報が送信される新聞用自動販売機とを備えた新聞自動販売システムであって、前記新聞用自動販売機が、上記いずれかの構成を備えた新聞用自動販売機であることを特徴とする。
【発明の効果】
【００１４】
本発明によれば、新聞記事情報を外部に表示する表示手段を設置することにより、通行人の興味や関心を新聞に引き付けることができるため、新聞の販売部数の増加を図ることができる。
【発明を実施するための最良の形態】
【００１５】
以下、図面を参照しつつ、本発明の実施の形態について説明する。ここで、図１は本発明の実施の形態に係る新聞自動販売システムを示す全体構成図、図２は本発明の実施の形態に係る新聞用自動販売機の構成を示す斜視図である。
【００１６】
図１に示されているように、本実施の形態に係る新聞自動販売システム１は、インターネット等の通信ネットワーク２を介して互いに接続された複数の新聞社（図１では、Ａ新聞社、Ｂ新聞社、Ｃ新聞社）の各配信サーバ３，４，５及び新聞宅配業者の管理サーバ６と、この管理サーバ６と無線により通信可能な新聞用自動販売機７とから構成されている。
【００１７】
図２に示されているように、新聞用自動販売機７は、例えば、自立型であり、正面右側に配置された商品自動販売部８と、正面左側に配置された新聞自動販売部９とから構成されている。
【００１８】
商品自動販売部８は、上部に各種商品（図１ではドリンク）１０の見本を上下２段に展示する商品見本表示部１１と、商品見本表示部１１に展示された各種商品１０に対応して配設された商品選択ボタン１２と、商品見本表示部１１及び商品選択ボタン１２の下方に配設された硬貨投入口１３、紙幣挿入口１４、及び釣銭返却口１５と、下部に配設された商品取出口１６とを備えて構成されている。
【００１９】
新聞自動販売部９は、複数種の新聞（図２では、Ａ新聞、Ｂ新聞、Ｃ新聞）毎に、それぞれ、上下方向に配設された第１モニター１７ａ、第２モニター１７ｂ、第３モニター１７ｃと、各モニター１７ａ，１７ｂ，１７ｃの下方にそれぞれ配設された第１、第２、第３新聞選択ボタン１８ａ，１８ｂ，１８ｃ及び第１、第２、第３新聞取出口１９ａ，１９ｂ，１９ｃとを備えて構成されている。
【００２０】
次に、本実施の形態に係る新聞用自動販売機の制御システムについて説明する。ここで、図３は本実施の形態に係る新聞用自動販売機の制御システムの構成を示すブロック図である。
【００２１】
この制御システム２０は、第１、第２、第３モニター１７ａ，１７ｂ，１７ｃや商品自動販売部８及び新聞自動販売部９等、新聞用自動販売機７の各構成部位を制御する制御部２１と、販売する新聞の記事を概説する新聞記事情報を受信する受信部２２と、該受信部２２により受信した新聞記事情報を記憶する記憶部２３とを備えて構成されており、記憶部２３には、販売する新聞毎に前記新聞記事情報を記憶する各新聞専用の第１記憶領域２３ａ、第２記憶領域２３ｂ、及び第３記憶領域２３ｃと、商品自動販売部８で販売する商品を宣伝するための広告情報を記憶する第４記憶領域２３ｄとが設けられている。
【００２２】
次に、図１〜図４を参照しつつ、本発明の実施の形態に係る新聞用自動販売機及び新聞自動販売システムについて説明する。ここで、図４は本発明の実施の形態に係る新聞用自動販売機及び新聞自動販売システムの動作を示すフローチャートである。
【００２３】
先ず、新聞（例えば、Ａ新聞、Ｂ新聞、Ｃ新聞）を販売するタイミングに合わせて、販売する新聞の記事を概説する新聞記事情報が各新聞社（例えば、Ａ新聞社、Ｂ新聞社、Ｃ新聞社）の配信サーバ３，４，５から通信ネットワーク２を介して新聞宅配業者の管理サーバ６に発行されると（Ｓ１０１）、管理サーバ６では、前記各新聞記事情報が、そのままの状態又は加工された後、無線により、各新聞用自動販売機７に送信される（Ｓ１０２）。
【００２４】
新聞用自動販売機７では、前記各新聞記事情報が受信部２２によって受信された後（Ｓ１０３）、制御部２１の指令により、Ａ新聞の新聞記事情報が第１記憶領域２３ａに格納され、Ｂ新聞の新聞記事情報が第２記憶領域２３ｂに格納され、Ｃ新聞の新聞記事情報が第３記憶領域２３ｃに記憶される（Ｓ１０４）。この時、既に各記憶領域２３ａ，２３ｂ，２３ｃに以前の新聞記事情報が記憶されている場合には、制御部２１の指令により、以前の新聞記事情報が消去されると共に、最新の新聞記事情報が各記憶領域２３ａ，２３ｂ，２３ｃにそれぞれ記憶され、これにより、新聞記事情報は更新される。
【００２５】
次いで、制御部２１の指令により、記憶部２３の第１、第２、第３記憶領域２３ａ，２３ｂ，２３ｃにそれぞれ記憶された前記最新の新聞記事情報が、予め設定された時間帯に、或いは予め設定された回数、それぞれ、第１、第２、第３モニター１７ａ，１７ｂ，１７ｃに繰り返し表示されると共に、記憶部２３の第４記憶領域２３ｄに記憶された、商品自動販売部８で販売されている商品の広告情報が、前記各新聞記事情報の合間に、繰り返し表示される（Ｓ１０５）。
【００２６】
そして、新聞用自動販売機７の前を行く通行人によって、硬貨投入口１３又は紙幣挿入口１４から所定の金額が投入され、購入を希望する新聞の新聞選択ボタン１８ａ，１８ｂ，１８ｃが選択されると、新聞自動販売部９の所定の動作により、該選択された新聞が新聞取出口１９ａ，１９ｂ，１９ｃに搬送される（Ｓ１０６）。また、同様に、硬貨投入口１３又は紙幣挿入口１４から所定の金額が投入され、商品選択ボタン１２が選択されると、商品自動販売部８の所定の動作により、該選択された商品が商品取出口１６に搬送される。なお、この時の新聞自動販売部９や商品自動販売部８の動作は、本発明に特有のものではなく、従来の動作と同じであるため、ここでは詳細な説明を省略する。
【００２７】
このように、新聞自動販売部８において販売されるＡ新聞、Ｂ新聞、Ｃ新聞の記事の内容が第１、第２、第３モニター１７ａ，１７ｂ，１７ｃにそれぞれ表示されるため、新聞用自動販売機７の前を行く通行人の興味や関心を新聞に引き付けることができ、その通行人に対して、より深く新聞を読みたいという動機付けを付与することにより、新聞の販売部数の増加を図ることができる。
【００２８】
なお、上記した新聞用自動販売機１は、号外が発行されるような出来事や大規模災害等、緊急性の高い事態が発生した時に新聞社や新聞宅配業者によって発行される情報を、受信部２２で受信した場合に、前記新聞記事情報や商品の広告情報に割り込ませて、第１、第２、第３モニター１７ａ，１７ｂ，１７ｃに優先的に表示させるようにすることもできる。これにより、外出中の人々に対しても、迅速且つ簡単に、緊急性の高い情報を知らせることができ、社会貢献度や公益性を高めて新聞のイメージを向上させることにより、販売部数の増加につなげることが可能となる。
【００２９】
また、上記した実施の形態においては、モニターを販売する新聞毎に複数設置しているが、本発明はこの場合に限定されるものではなく、１台のモニターに、複数の新聞の新聞記事情報を順次繰り返し表示させるようにしてもよい。これにより、モニターの設置スペースを縮小することができ、新聞用自動販売機７の小型化や新聞用自動販売機７の設置場所の省スペース化を図ることができる。
【００３０】
さらに、上記した実施の形態において、第１、第２、第３モニター１７ａ，１７ｂ，１７ｃには、新聞記事情報の合間に、商品自動販売部８で販売されている商品を表示するようになっているが、これは単なる例示に過ぎず、例えば、新聞用自動販売機７の設置場所の環境や通行人のニーズに合わせて、商品自動販売部８で販売されている商品以外の商品やサービスについての広告や各種情報を表示する等、各種変更が可能である。
【００３１】
さらにまた、本発明は、上記したように硬貨や紙幣等の現金を投入することにより新聞等を販売する自動販売機の代わりに或いはそれと共に、予め販売したプリペイドカードや、予め登録した会員に発行した電子マネー等を利用して新聞等を販売する自動販売機にも適用可能である。
【図面の簡単な説明】
【００３２】
【図１】本発明の実施の形態に係る新聞自動販売システムを示す全体構成図である。
【図２】本発明の実施の形態に係る新聞用自動販売機の構成を示す斜視図である。
【図３】本発明の実施の形態に係る新聞用自動販売機の制御システムの構成を示すブロック図である。
【図４】本発明の実施の形態に係る新聞用自動販売機及び新聞自動販売システムの動作を示すフローチャートである。
【符号の説明】
【００３３】
１          新聞自動販売システム
２          通信ネットワーク
３          配信サーバ
４          配信サーバ
５          配信サーバ
６          管理サーバ
７          自動販売機
８          商品自動販売部
９          新聞自動販売部
１７ａ      第１モニター
１７ｂ      第２モニター
１７ｃ      第３モニター
２２        受信部
２３        記憶部
２３ａ      第１記憶領域
２３ｂ      第２記憶領域
２３ｃ      第３記憶領域
【図１】
2007328390.tif 000003
【図２】
2007328390.tif 000004
【図３】
2007328390.tif 000005
【図４】
2007328390.tif 000006